(57)【要約】【課題】  簡単な構造により、誤って鼻や口を塞いでも呼吸が可能な冷却シートを提供する。【解決手段】  不織布１２の片面に粘着層１４が設けられ、粘着層１４に多数の透孔１６が形成されている。または、粘着層１４が凹凸状に形成されている。粘着層１４は、ポリアクリル酸塩からなる含水ゲルや、水溶性高分子材料のゲルである。【選択図】図１
2006087785.tif 000002
【特許請求の範囲】
【請求項１】
支持体の片面に粘着層が設けられ、前記粘着層に多数の透孔が形成されていることを特徴とする冷却シート。
【請求項２】
支持体の片面に粘着層が設けられ、前記粘着層は表面が多数の凹凸状に形成されていることを特徴とする冷却シート。
【請求項３】
前記粘着層は、ポリアクリル酸塩からなる含水ゲルであることを特徴とする請求項１または２記載の冷却性シート。
【請求項４】
前記粘着層は、水溶性高分子材料のゲルであることを特徴とする請求項１または２記載の冷却性シート。
【請求項５】
前記粘着層は、ＳＩＳ系粘着剤からなるオイルゲルであることを特徴とする請求項１または２記載の冷却性シート。
【発明の詳細な説明】
【技術分野】
【０００１】
この発明は、発熱時や関節等の炎症時に適宜の部位に貼付したり、皮膚の保湿、リフレッシュ等に用いられ、医療補助具や薬剤等として用いられる冷却シートに関する。
【背景技術】
【０００２】
従来、身体に貼付する冷却シートとして、オレフィン系不織布に含水ゲルを展膏したものが汎用されている。このような冷却シートは、ポリアクリル酸塩などの粘着剤とグリセリンなどの賦形薬を２０〜４０％配合したものである。この含水ゲルは、ポリアクリル酸塩などの架橋反応により水分を保有しゲル化しているものであり、粘着性を有したものである。また、特許文献１に開示されているように、片面に合成ゴム系の粘着剤が塗布された不織布の繊維層中に、寒天やゼラチン等の水溶性高分子材料のゲルが含浸し安定に存在している冷却シートも提案されている。
【特許文献１】特開２００２−２４８１２１号公報
【発明の開示】
【発明が解決しようとする課題】
【０００３】
従来の冷却シートは、粘着性のあるゲルが粘着面に一面に塗工されており、例えば額に貼り付けたまま眠ってしまうと、眠っている間に冷却シートが何らかの理由で移動し、鼻や口を塞いでしまう恐れがあった。
【０００４】
この発明は上記従来技術の問題点に鑑みてなされたものであり、簡単な構造で誤って鼻や口を塞いでも呼吸が可能な冷却シートを提供することを目的とする。
【課題を解決するための手段】
【０００５】
この発明は、不織布等の支持体の片面に粘着層が設けられ、前記粘着層に多数の透孔が形成されている冷却シートである。または、不織布等の支持体の片面に粘着層が設けられ、前記粘着層は表面が多数の凹凸状に形成されている冷却シートである。
【０００６】
前記粘着層は、ポリアクリル酸塩からなる含水ゲルや、水溶性高分子材料のゲル、またはＳＩＳ（スチレンイソスチレン高ポリマー）系粘着剤からなるオイルゲルである。
【発明の効果】
【０００７】
この発明の冷却性シートは、粘着層に多数の透孔が形成され、または粘着層が多数の凹凸状に形成されているので、誤って粘着層が鼻や口に覆い被さっても呼吸を妨げることがない。これにより窒息等の事故を未然に防止することができる。
【発明を実施するための最良の形態】
【０００８】
以下、この発明の実施形態について図面に基づいて説明する。図１、図２はこの発明の第一実施形態を示すもので、この実施形態の冷却性シート１０は、不織布１２を支持体として備える。不織布１２は、ポリエステル、レーヨン、ポリプロピレン、コットン、またはこれらの混紡等で作られ、目付けは７０〜１５０ｇ／ｍ２の範囲が好ましい。
【０００９】
不織布１２には、不織布１２の一側面に含水ゲルによる粘着層１４が形成されている。不織布１２の素材は、ポリエステル繊維、ポリプロピレン繊維、アクリル繊維等の疎水性繊維、綿やレーヨン等の親水性繊維、吸水性合成高分子から成る吸水性繊維や、これらの積層材または混紡材等が使用される。吸水性樹脂繊維としては、例えば架橋アクリル酸塩系繊維、アクリル繊維を後加工によりその表面を加水分解させて得られた繊維、ポリエステル等の繊維にアクリル酸やメタクリル酸をグラフト重合した繊維等があげられ、これらは単独で用いても２種以上を併用してもよい。これらの中では、特に、架橋アクリル酸塩系繊維が、非常に高吸水性であり好ましい。
【００１０】
含水ゲルの粘着層１４は、ポリビニルアルコール、ポリビニルピロリドン、カルボキシメチルセルロースナトリウム、またはポリアクリル酸ナトリウムから選ばれた１または複数の合成高分子を１〜２０％、水分を５０〜８０％含むものである。さらに、ＥＤＴＡ、メタリン酸ナトリウム等の金属封鎖剤を添加することにより不織布１２から剥がれにくくすることができる。
【００１１】
その他、粘着層１４の材料は、水溶性高分子材料のゲルである天然多糖類高分子ゲル、例えばマンナン、寒天、アルギン酸ナトリウム、ジェランガム、グアーガム、カラギーナン、ローカストビーンガム、キサンタンガム、またはゼラチンから選ばれた１種または複数種の天然高分子を０．５〜１０％、水分を８０〜９８％含むものでも良い。また、粘着層１４としては、ＳＩＳ（スチレンイソプレンスチレン高ポリマー）やその他の合成ゴム系粘着剤を、含水ゲル表面や水溶性高分子ゲルの表面に積層して用いることもできる。
【００１２】
粘着層１４には、さらに、清涼剤として天然メントール、合成メントール、ハッカ油、カミツレ等の植物成分やその他の精油成分を配合することにより、清涼感はさらに増強される。また、湿布剤として用いる場合は、サリチル酸メチル、サリチル酸グリコール、インドメタシン等の消炎鎮痛剤を配合してもよい。
【００１３】
粘着層１４の外側面は、非透湿性の樹脂フィルム等の剥離シートで覆われ、水分等の蒸発を防止しいている。剥離シートは、シリコーンを塗工したポリエステルフィルムやポリプロピレンエンボスフィルムを用いる。また、使用時に含水させる場合は、製品の包装状態では乾燥しているので、剥離シートは、粘着剤側の面にパラフィンを塗布した紙でも良い。
【００１４】
粘着層１４には、例えば直径５ｍｍ程度の透孔１６が、ほぼ全面に亘って多数形成され、透孔１６に連通して、不織布１２にも透孔１８が多数形成されている。透孔１６，１８は、不織布１２表面に粘着層１４の形成後、打ち抜いて形成される。
【００１５】
この実施形態の冷却シート１０は、粘着層１４に多数の透孔１６が形成されているので、誤って冷却シート１０が鼻や口に覆い被さっても呼吸を妨げることがなく、透孔１６，１８を介して呼吸することができる。
【００１６】
次に、この発明の第二実施形態について図３、図４に基づいて説明する。なお、ここで上記実施形態と同様の部材は同様の符号を付して説明を省略する。この実施形態の冷却シート２０は、不織布２２が設けられ、不織布２２にはゲル体からなる粘着層２４が設けられている。この粘着層２４は、表面が波状に多数の凹凸２６が形成されている。
【００１７】
この実施形態の冷却シート２０によれば、上記実施の形態と同様の作用があり、同様の効果を有するものである。
【００１８】
なお、この発明の冷却シートは、上記各実施形態に限定されるものではなく、各部材の素材は適宜変更可能である。各不織布の目付けや素材は、用途や他の部材の成分の配合に合わせて適宜変更可能である。
【図面の簡単な説明】
【００１９】
【図１】この発明の第一実施形態の冷却性シートの平面図である。
【図２】図１のＡ−Ａ断面図である。
【図３】この発明の第二実施形態の冷却シートの平面図である。
【図４】図３のＢ−Ｂ断面図である。
【符号の説明】
【００２０】
１０  冷却シート
１２  不織布
１４  粘着層
１６，１８  透孔
【図１】
2006087785.tif 000003
【図２】
2006087785.tif 000004
【図３】
2006087785.tif 000005
【図４】
2006087785.tif 000006